(57)【要約】【課題】使用者に不快感を与えることなく、また、熱交換効率および送風効率を落とすことなく、効率よくショートサーキットを防止した空気調和機を提供する。【解決手段】本体の前面上部に設けられた吸込口１ａと、前面下部に設けられた吹出口２を結ぶ空気通路３に熱交換器４と、送風ファン（第１クロスフローファン）５ｂとを設け、前記吹出口２に吹出風を左右に偏向する左右風向板８と、吹出風を上下に偏向する上下風向板９を配設してなる空気調和機において、前記吹出口２の上部に、仕切板１１により区画される補助吹出口１２を設け、同補助吹出口に通じる通風路に、前記送風ファンより送風される調和空気を加速して送風する補助送風ファン（第２クロスフローファン）１３ｂを配設してなる空気調和機とした。【選択図】  図１
2004245558.tif 000002
【特許請求の範囲】
【請求項１】
本体の前面上部に設けられた吸込口と、前面下部に設けられた吹出口を結ぶ空気通路に熱交換器と、送風ファンとを設け、前記吹出口に吹出風を左右に偏向する左右風向板と、吹出風を上下に偏向する上下風向板とを配設してなる空気調和機において、
前記吹出口の上部に、仕切板により区画される補助吹出口を設け、同補助吹出口に通じる通風路に、前記送風ファンより送風される調和空気を加速して送風する補助送風ファンを配設してなることを特徴とする空気調和機。
【請求項２】
前記補助送風ファンが、前記送風ファンとは別に駆動されてなることを特徴とする請求項１記載の空気調和機。
【請求項３】
前記補助送風ファンが前記送風ファンと連動して駆動されてなるを特徴とする請求項１記載の空気調和機。
【請求項４】
前記補助送風ファンが、その駆動軸と前記送風ファンの駆動軸とをタイミングベルトまたは連動ギヤにより連結して同送風ファンと連動駆動されてなることを特徴とする請求項３記載の空気調和機。
【発明の詳細な説明】
【０００１】
【発明の属する技術分野】
本発明は、空気調和機に係わり、詳しくは、ショートサーキットを防止して空気の循環効率を向上した空気調和機に関する。
【０００２】
【従来の技術】
従来の空気調和機は、図６に示すように、室内上方の空気は吸込風Ａとして、本体前面上部の吸込口１ａおよび、本体上面の吸込口１ｂからクロスフローファン５ｂにより吸込まれ、熱交換器４を通過して調和された後、左右風向板８および上下風向板９により風向を偏向され、本体前面下部に配設された吹出口２から、吹出風Ｂとして再び室内にもどされるようになっている。
しかし、前記吹出口２と吸込口１ａは本体前面上下に近接して配設されているため、とくに、冷房運転時には上下風向板９を上方に向けるため、吹出口２から吹き出された吹出風Ｂの一部が吸込風Ａに引き寄せられてショートサーキットＣを形成し、そのため、送風の到達距離が短くなったり、冷暖房能力が低下してしまうという問題がある。
そこで、熱交換器４の一次側空気を補助吹出口９から吹き出して吸込口３と吹出口６との間の風速を増すことにより吹出気流の一部が吸込気流に吸引されるショートサーキットを防止する構成としている（例えば、特許文献１参照。）。
しかし、この構成では送風機２により吸込口３から吸込まれた室内空気の一部が、そのまま補助吹出口９から吹き出されるため、熱交換効率および送風効率を低下するという問題がある。
また、２枚の風向板で風下側を狭くすることで吹出風速を増すことによりショートサーキットを防止する構成としているものがある（例えば、特許文献２参照。）。
しかし、この構成では使用者に強風が当たるため、不快感を与えるとともに、送風機に大きな負荷を負わせてしまうという問題がある。
上記説明における記号は各図または各特許文献に従う。
【０００３】
【特許文献１】
特開昭６２−２４８９３９号公報（第３頁−第６頁、第１図）
【特許文献２】
特開平１−１４０４４８号公報（第４頁−第５頁、第１図）
【０００４】
【発明が解決しようとする課題】
本発明は以上述べた問題点を解決し、使用者に不快感を与えることなく、また、熱交換効率および送風効率を落とすことなく、効率よくショートサーキットを防止した空気調和機を提供することを目的としている。
【０００５】
【課題を解決するための手段】
本発明は上述の課題を解決するため、本体の前面上部に設けられた吸込口と、前面下部に設けられた吹出口を結ぶ空気通路に熱交換器と、送風ファンとを設け、前記吹出口に吹出風を左右に偏向する左右風向板と、吹出風を上下に偏向する上下風向板とを配設してなる空気調和機において、
前記吹出口の上部に、仕切板により区画される補助吹出口を設け、同補助吹出口に通じる通風路に、前記送風ファンより送風される調和空気を加速して送風する補助送風ファンを配設してなる空気調和機としている。
【０００６】
前記補助送風ファンが、前記送風ファンとは別に駆動されてなる空気調和機としている。
【０００７】
前記補助送風ファンが前記送風ファンと連動して駆動されてなる空気調和機としている。
【０００８】
前記補助送風ファンが、その駆動軸と前記送風ファンの駆動軸とをタイミングベルトまたは連動ギヤにより連結して同送風ファンと連動駆動されてなる空気調和機としている。
【０００９】
【発明の実施の形態】
以下、図面に基づいて本発明による空気調和機を詳細に説明する。
図１は本発明による空気調和機の一実施例を示す要部側断面図である。
図１に示すように、本発明による空気調和機の本体は、壁に固定されるベース６と、これに被着される前面パネル７とで構成されている。
前記本体の前面上部に設けられた吸込口１ａおよび上面に設けられた吸込口１ｂと、前面下部に設けられた吹出口２を結ぶ空気通路３に、複数に折曲形成された熱交換器４と、第１クロスフローファン５ｂとを設け、前記吹出口２に吹出風を左右に偏向する左右風向板８と、吹出風を上下に偏向する上下風向板９とを配設している。
また、前記吹出口２の上部には、吹出口２を上下に区画して、吸込口１ａ側に近接する補助吹出口１２を形成する仕切板１１が設けられている。
前記補助吹出口１２に通じる通風路には前記第１クロスフローファン５ｂより送風される調和空気を加速して送風する第２クロスフローファン１３ｂが配設されている。
【００１０】
図２、図３および図４は本発明による空気調和機の第２クロスフローファン１３ｂの駆動方法を説明するための要部斜視図である。
図２、図３および図４に示すように、モータ５ａと、これにより駆動される前記第１クロスフローファン５ｂとで送風機５を構成している。
第１の駆動方法としては、図２に示すように、モータ１３ａと、これにより駆動される前記第２クロスフローファン１３ｂとで補助送風機１３を構成し、前記送風機５のモータ５ａとは別の独立したモータ１３ａにより前記第２クロスフローファン１３ｂを駆動するようにしている。
このため、例えば、前記送風機５の回転数を低下させて吹出風の風速を下げた場合でも、前記補助送風機１３の第２クロスフローファン１３ｂの風速を保つことが可能である。
【００１１】
図３の実施例では、前記送風機５のモータ５ａと第１クロスフローファン５ｂとを結ぶ回転軸にギヤ５ｃを設けると共に、前記第２クロスフローファン１３ｂの回転軸にギヤ１３ｃを設け、同ギヤ１３ｃとギヤ５ｃとをタイミングベルト１４で連結することにより、前記モータ５ａが第１クロスフローファン５ｂと連動して前記第２クロスフローファン１３ｂを駆動するようにしている。
これにより、図２の実施例で使用したモータ１３ａを節減し、コストを低減できる。
【００１２】
また、図４の実施例では、前記クロスフローファン５ｂのモータ５ａとの対向面にギヤ５ｄを形成すると共に、前記第２クロスフローファン１３ｂの対応する面にギヤ１３ｄを形成し、同ギヤ１３ｄとギヤ５ｄとを両先端にギヤ１５ａ、１５ｂを備える連動ギヤ１５で連結することにより、前記モータ５ａが第１クロスフローファン５ｂと連動して前記第２クロスフローファン１３ｂを駆動するようにしている。
これにより、図２の実施例で使用したモータ１３ａを節減し、コストを低減できる。
【００１３】
以上の構成において、つぎにその動作を説明する。
図５は本発明による空気調和機の動作を説明するための要部断面図である。
図５に示すように、室内上方の空気は、本体前面上部の吸込口１ａおよび、本体上面の吸込口１ｂから第１クロスフローファン５ｂにより吸込まれ、熱交換器４で調和された調和空気は左右風向板８および上下風向板９により風向を偏向され、本体前面下部に配設された吹出口２から再び室内に戻される。
また、前記調和空気の一部は、第２クロスフローファン１３ｂにより加速されて風速を増して補助吹出口１２から吹き出される。
これにより、補助吹出口１２から吹き出された調和空気は、吸込口１ａに吸込まれる室内空気により吸引されることがなく、室内遠方に送風される。
【００１４】
【発明の効果】
以上説明したように、本発明による空気調和機によれば、第１クロスフローファンより送風される調和空気の一部を、第２クロスフローファンが加速して吸込口側に近接する補助吹出口から吹き出すので、吸込口に吸込まれる室内空気により吹出風が吸引される、所謂ショートサーキットを防止して、送風効率および、熱交換効率を向上した空気調和機を提供することができる。
【図面の簡単な説明】
【図１】本発明による空気調和機の一実施例を示す要部側断面図である。
【図２】本発明による空気調和機の第２クルスフローファンの駆動方法を説明するための要部斜視図である。
【図３】本発明による空気調和機の第２クルスフローファンの他の駆動方法を説明するための要部斜視図である。
【図４】本発明による空気調和機の第２クルスフローファンの他の駆動方法を説明するための要部斜視図である。
【図５】本発明による空気調和機の動作を説明するための要部断面図である。
【図６】従来の空気調和機の動作を説明する要部断面図である。
【符号の説明】
１ａ、１ｂ  吸込口
２  吹出口
３  空気通路
４  熱交換器
５  送風機
５ａ  モータ
５ｂ  第１クロスフローファン
５ｃ、５ｄ  ギヤ
６  ベース
７  前面パネル
８  左右風向板
９  上下風向板
１１  仕切板
１２  補助吹出口
１３  補助送風機
１３ａ  モータ
１３ｂ  第２クロスフローファン
１３ｃ、１３ｄ  ギヤ
１４  タイミングベルト
１５  連動ギヤ
【図１】
2004245558.tif 000003
【図２】
2004245558.tif 000004
【図３】
2004245558.tif 000005
【図４】
2004245558.tif 000006
【図５】
2004245558.tif 000007
【図６】
2004245558.tif 000008